(57)【特許請求の範囲】
【請求項１】
シャワーヘッド支持体の通水路に少なくとも脱塩素剤が充填されたカートリッジを装着したシャワーにおいて、カートリッジ内に、下流側の先端が閉口し先端部近傍のみの側面に多孔開口部を設けたパイプの先端を脱塩素剤充填層中に配し、パイプ上流側の開口端を脱塩素剤充填層外に配して設けたことを特徴とする浄水シャワー。
【発明の詳細な説明】
【０００１】
【発明の属する技術分野】
本発明は、浴室等で身体の洗浄に使用するシャワーに関する。
【０００２】
【従来の技術】
浴室や洗面所等に設置されるシャワーは、全身の洗浄或いは頭髪の洗浄等身体の必要部位の効率的かつ効果的な洗浄装置として従来から広く用いられている。しかしながら、一般に家庭において用いられているシャワーは、水道水を原水としているが、水道水には、殺菌用塩素が残留塩素として溶存しており、この残留塩素は、毛髪の傷み、変色を引き起こしたり、或いはアトピー性皮膚炎に対し悪影響を及ぼす等有害な存在となっている。
【０００３】
かかるシャワーにおける残留塩素による問題を解決するため、亜硫酸カルシウム等の脱塩素剤を充填したカートリッジをシャワーに装着し、残留塩素を除去することが実開平３−１９５９６号公報や実開平４−５０１５２号公報等で提案されている。そして一般には脱塩素剤として亜硫酸カルシウムをコンマ数ミリメートルから数ミリメートルの粒径としたものが用いられている。しかしながら、粒径がコンマ数ミリメートル程度の亜硫酸カルシウムをそのままの状態で充填したカートリッジを備えたシャワーは、その通水時の圧力損失が大きく、１０リットル／分前後の流量とすることが難しくシャワー状の流水状態に保つことが困難である。
【０００４】
そのため、通水性のよい紙や不織布に微粒子状亜硫酸カルシウムを挟み込んでシート化し、それを巻き込んだものをカートリッジに充填する方法がとられるが、カートリッジ容積に対する実質的な亜硫酸カルシウム充填量が小さく、有効期間が短くなる。また、粒径が数ミリメートル程度の微粒子状亜硫酸カルシウムを充填したカートリッジを用いたシャワーは、長期間使用するにつれて、粒子表面が溶解して崩れ、粒子が崩れ細粒化するに従いメッシュや不織布で目詰まりを起こし圧力損失を大きくする。この傾向は、亜硫酸カルシウムの粒径を親水性のバインダーを用いて調節したもの程その傾向は大きくなる。
【０００５】
【発明が解決しようとする課題】
本発明の目的は、脱塩素剤を用いる際のカートリッジでの圧力損失を抑え、水道水等原水中の残留塩素を長期にわたり除去する浄水シャワーを提供することにある。
【０００６】
【課題を解決するための手段】
本発明は、シャワーヘッド支持体の通水路に少なくとも脱塩素剤が充填されたカートリッジを装着したシャワーにおいて、カートリッジ内に、下流側の先端が閉口し先端部近傍のみの側面に多孔開口部を設けたパイプの先端を脱塩素剤充填層中に配し、パイプ上流側の開口端を脱塩素剤充填層外に配して設けたことを特徴とする浄水シャワーにある。
【０００７】
【発明の実施の形態】
以下、本発明を図面に従い説明する。
図１は、本発明の浄水シャワーの一例の一部断面側面図である。１はシャワーヘッド支持体、２はカートリッジ、３は脱塩素剤、４は通水可能なカートリッジキャップ、５はパイプ、６はカートリッジ筒体、７は不織布、８は多孔開口部、９はシャワーヘッドを表す。
【０００８】
本発明において、パイプ５は、下流側の先端が閉口し先端部近傍のみの側面に多孔開口部８が設けられているパイプであり、カートリッジ筒体６の内部に、パイプ先端を脱塩素剤３の充填層中に配し、パイプ上流側の開口端を脱塩素剤３の充填層外に配して設ける。パイプ５は、設置の効果上その先端の位置が脱塩素剤３の充填層のできるだけ下流の位置になるよう配することが好ましい。
【０００９】
パイプ５の下流側の先端を閉口状態とするには、パイプ先端を溶着、封着する等により行ってもよいし、またカートリッジ作製時、カートリッジキャップによってパイプ先端を封止することにより行ってもよい。また、パイプ５の先端部近傍の側面に設ける多孔開口部は、通水可能な複数の孔があけられた多孔の開口部であり、孔の数には制限はないが、パイプの円周方向に等間隔に設けることが好ましく、孔はメッシュによって形成されていてもよい。
【００１０】
本発明において、カートリッジに充填される脱塩素剤として、好ましくは粒状の亜硫酸カルシウムが用いられが、使用上有害でなく、脱塩素機能を有するものであれば亜硫酸カルシウムに限定されるものではない。また、カートリッジには、脱塩素剤以外にカプセル化して徐放性を持たせたビタミンＣ（アスコルビン酸）等他の添加剤が充填されていてもよい。
【００１１】
カートリッジは、例えば図１に示すように、カートリッジ筒体６内に、脱塩素剤３が充填され、脱塩素剤充填層を貫通してパイプ５が配置され、カートリッジ筒体６の出口部には脱塩素剤が流出しないよう不織布やメッシュを貼ったカートリッジキャップ４を、またカートリッジ筒体６の入口部には不織布７が貼られて構成されるが、カートリッジ筒体、出口部のカートリッジキャップ、入口部の不織布等については、特に制限はなく、これらは任意に材質、形状等を変更し得る。前記カートリッジは、シャワーヘッド支持体の通水路に装着されて浄水シャワーが構成される。
【００１２】
本発明のシャワーは、その使用時、水または温水（以下単に水という）は、カートリッジ内の脱塩素剤充填層中及びパイプ中を流れる。脱塩素剤充填層を流れる水は、脱塩素剤と充分に接触し、パイプ中を流れる水は、パイプ先端部近傍の多孔開口部から噴出し脱塩素剤とは脱塩素剤充填層通過水に比べその流速が極めて高く脱塩素剤充填層による圧力損失の低下を防ぐ。脱塩素剤は、水と接触して水中の残留塩素と反応して塩素を除去する。
【００１３】
長期間の通水では、脱塩素剤充填層を流れる水は、脱塩素剤と接触して脱塩素剤の粒子を溶解し、粒子は、細粒化してカートリッジキャップの近傍に堆積されるが、パイプ中を直接流れパイプ先端部近傍の多孔開口部から噴出する水は、その噴出水による攪乱によりカートリッジキャップの近傍に細粒化し堆積した脱塩素剤よる目詰まりを防ぎ、圧力損失の上昇を抑える。
【００１４】
カートリッジを構成する各部材は、任意の素材で構成してよく、少なくともシャワーの温水の温度に耐える耐熱性を有するものであれば特に制限はない。
【００１５】
【実施例】
本発明の浄水シャワーの実施例を図１に示したが、シャワーヘッド支持体の通水路に脱塩素剤充填のカートリッジが装着された浄水シャワーとして三菱レイヨン（株）製ピュアピュアＳＡＣ２００を用い、カートリッジとして、＃５０のナイロンメッシュを貼り付けたカートリッジキャップ、先端が封鎖された外径９ｍｍ、長さ１３０ｍｍのアクリル樹脂製パイプであって、先端から５ｍｍのところに４ｍｍ×１２ｍｍのたて長の孔を円周方向に等間隔に４個あけ＃５０のナイロンメッシュを貼り付けたパイプをカートリッジ中央部に設け、その周りに脱塩素剤として粒径１．５ｍｍの亜硫酸カルシウムを３５ｇ充填し、他端部に不織布を貼り付けたカートリッジを、前記浄水シャワーのシャワーヘッド支持体の通水路に装着した。
【００１６】
比較として、別に前記カートリッジからパイプのみを除いたカートリッジを装着した浄水シャワーを用意した。この２種の浄水シャワーに、水温４０℃、残留塩素濃度１ｐｐｍの温水を、流量１０リットル／分で通水した。５ｍ3、１０ｍ3通水時のシャワー水の残留塩素濃度、通水圧力を測定し、その結果を表１に示した。
【００１７】
【表１】
0003703559.tif 000002
【００１８】
表１によれば、本発明の浄水シャワーは、パイプを設けない浄水シャワーと比べ脱塩素能力の点ではほぼ同じであるが、通水圧力の点で、パイプを設けない浄水シャワーと比べて顕著な差が生じ、通水圧力の上昇が極めて少なく、１０ｍ3通水でシャワー状の流水状態を得ることができた。
【００１９】
【発明の効果】
本発明の浄水シャワーは、カートリッジでの圧力損失を抑え、しかも水中の塩素除去能力を維持するものであり、残留塩素を長期にわたり除去することができ、快適にかつ安全に使用し得るものである。
【図面の簡単な説明】
【図１】本発明の浄水シャワーの一例のシャワーヘッド支持体の一部断面側面図である。
【符号の説明】
１  シャワーヘッド支持体
２  カートリッジ
３  脱塩素剤
４  カートリッジキャップ
５  パイプ
６  カートリッジ筒体
７  不織布
８  多孔開口部
９  シャワーヘッド
【図１】
0003703559.tif 000003